(57)【特許請求の範囲】
【請求項１】
遠隔の受信機からの要求に基づいて楽曲データを配信する楽曲配信装置において、
少なくとも楽曲識別情報と圧縮方式識別情報とを含んだ上記受信機からの要求信号を受信する受信手段と、
上記受信した要求信号に含まれた楽曲識別情報に対応する楽曲を、要求信号に含まれた圧縮方式識別情報に対応する圧縮方式で圧縮した楽曲データを送出する送信手段とからなることを特徴とする楽曲配信装置。
【請求項２】
ユーザによって選択された楽曲の楽曲データを遠隔の楽曲配信装置に対して要求し、楽曲配信装置から配信されてきた楽曲データを受信して出力する楽曲受信装置において、
少なくとも上記選択された楽曲を識別する楽曲識別情報と、楽曲が配信されてくる際の圧縮方式を識別する圧縮方式識別情報とを含む要求信号を生成する生成手段と、
上記生成された要求信号を上記楽曲配信装置に対して伝送する伝送手段と、
上記楽曲配信装置から配信されてきた楽曲データを受信する受信手段と、
受信した楽曲データを上記圧縮方式識別情報で指定した圧縮方式に対応する圧縮復号方式によって復号するデコード手段とからなることを特徴とする楽曲受信装置。
【請求項３】
遠隔の受信機からの要求に基づいて楽曲データを配信する楽曲配信方法において、
少なくとも楽曲識別情報と圧縮方式識別情報とを含んだ上記受信機からの要求信号を受信し、
上記受信した要求信号に含まれた楽曲識別情報に対応する楽曲を、要求信号に含まれた圧縮方式識別情報に対応する圧縮方式で圧縮した楽曲データを送出するようにした楽曲配信方法。
【請求項４】
ユーザによって選択された楽曲の楽曲データを遠隔の楽曲配信装置に対して要求し、楽曲配信装置から配信されてきた楽曲データを受信して出力する楽曲受信方法において、
少なくとも上記選択された楽曲を識別する楽曲識別情報と、楽曲が配信されてくる際の圧縮方式を識別する圧縮方式識別情報とを含む要求信号を生成し、
上記生成された要求信号を上記楽曲配信装置に対して伝送し、
上記楽曲配信装置から配信されてきた楽曲データを受信し、
受信した楽曲データを上記圧縮方式識別情報で指定した圧縮方式に対応する圧縮復号方式によって復号するようにした楽曲受信方法。
【請求項５】
遠隔の受信機からの要求に基づいて、楽曲配信装置が楽曲データを配信する楽曲配信システムにおいて、
上記受信機では、
少なくとも上記選択された楽曲を識別する楽曲識別情報と、楽曲が配信されてくる際の圧縮方式を識別する圧縮方式識別情報とを含む要求信号を生成し、
上記生成された要求信号を上記楽曲配信装置に対して伝送し、
上記楽曲配信装置では、
上記受信機から伝送されてきた要求信号を受信し、
上記受信した要求信号に含まれた楽曲識別情報に対応する楽曲を、要求信号に含まれた圧縮方式識別情報に対応する圧縮方式で圧縮した楽曲データを送信するようにした楽曲配信システム。
【請求項６】
上記要求信号にはさらに受信機を識別する受信機識別情報が含まれており、該受信機識別情報に対応する受信機に対して上記楽曲データを配信するようにした請求の範囲１に記載の楽曲配信装置。
【請求項７】
予め複数の圧縮方式で圧縮された楽曲データを複数曲分だけ記憶する第１の記憶手段と、上記受信した要求信号に含まれた楽曲識別情報および圧縮方式識別情報に対応する楽曲データを上記第１の記憶手段から抽出する第１の抽出手段とを有し、
上記送信手段は、上記第１の抽出手段によって抽出された楽曲データを送信するようにしたことを特徴とする請求の範囲１に記載の楽曲配信装置。
【請求項８】
複数の楽曲信号を記憶する第２の記憶手段と、
上記受信した要求信号に含まれた楽曲識別情報に対応する楽曲信号を上記第２の記憶手段から抽出する第２の抽出手段と、
上記受信した要求信号に含まれた圧縮方式識別情報に対応する圧縮方式で上記抽出された楽曲信号を圧縮する圧縮手段とを有し、
上記送信手段は、上記圧縮手段によって圧縮された楽曲データを送信するようにしたことを特徴とする請求の範囲１に記載の楽曲配信装置。
【請求項９】
楽曲の付加情報を複数曲分記憶する第３の記憶手段と、
上記受信した要求信号に含まれた楽曲識別情報に対応する楽曲の付加情報を上記第３の記憶手段から抽出する第３の抽出手段とを有し、
上記送信手段は、楽曲データと共に抽出された付加情報を送信するようにしたことを特徴とする請求の範囲１に記載の楽曲配信装置。
【請求項１０】
楽曲に対応する映像情報を複数曲分記憶する第４の記憶手段と、
上記受信した要求信号に含まれた楽曲識別情報に対応する楽曲の映像情報を上記第４の記憶手段から抽出する第４の抽出手段とを有し、
上記送信手段は、楽曲データと共に抽出された映像情報を送信するようにしたことを特徴とする請求の範囲１に記載の楽曲配信装置。
【請求項１１】
上記映像情報は所定の圧縮方式で圧縮された信号であることを特徴とする請求の範囲１０に記載の楽曲配信装置。
【請求項１２】
予め複数の圧縮方式で圧縮された楽曲データを複数曲分だけ記憶する第１の記憶手段と、
複数の楽曲信号を記憶する第２の記憶手段と、
上記受信した要求信号に含まれた楽曲識別情報および圧縮方式識別情報に対応する楽曲データが上記第１の記憶手段に記憶されているか否かを検出する第１の検出手段と、
上記検出の結果、第１の記憶手段に要求された楽曲データが記憶されていた時に、その楽曲データを上記第１の記憶手段から抽出する第５の抽出手段と、
上記検出の結果、第１の記憶手段に要求された楽曲データが記憶されていなかった時に、要求された楽曲信号を上記第２の記憶手段から抽出するする第６の抽出手段と、
上記第６の抽出手段によって抽出された楽曲信号を上記受信した要求信号に含まれた圧縮方式識別情報に対応する圧縮方式で圧縮する圧縮手段とを有し、
上記送信手段は、上記第５の抽出手段または上記圧縮手段より出力される楽曲データを送信するようにしたことを特徴とする請求の範囲１に記載の楽曲配信装置。
【請求項１３】
上記生成手段は、さらに受信機を識別する受信機識別情報を含んだ要求信号を生成し、
上記受信手段は、送信されてきた信号がその受信機自身宛てに送られてきた信号のみを受信するようにした請求の範囲２に記載の楽曲受信装置。
【請求項１４】
上記受信した楽曲データを記憶する第５の記憶手段を有することを特徴とする請求の範囲２に記載の楽曲受信装置。
【請求項１５】
ユーザによって選択された楽曲の楽曲データが上記第５の記憶手段に記憶されているか否かを検出する第２の検出手段と、
検出の結果、第５の記憶手段に選択された楽曲データが記憶されている場合に上記第５の記憶手段から選択された楽曲データを抽出する第７の抽出手段とを有し、
検出の結果、第５の記憶手段に選択された楽曲データが記憶されていなかった場合には上記生成手段によって上記要求信号を生成するようにしたことを特徴とする請求の範囲１４に記載の楽曲受信装置。
【請求項１６】
上記受信手段は、さらに送信されてきた楽曲データに付随する付加情報を受信するようにしたことを特徴とする請求の範囲２に記載の楽曲受信装置。
【請求項１７】
上記受信手段は、さらに送信されてきた楽曲データに対応する映像情報を受信するようにしたことを特徴とする請求の範囲２に記載の楽曲受信装置。
【請求項１８】
上記第５の記憶手段は、楽曲データと共に送信されてきた付加情報と映像情報を記憶するようにしたことを特徴とする請求の範囲１４に記載の楽曲受信装置。
【請求項１９】
互いに異なる圧縮方式に対応する複数のデコーダからなる復号手段と、
上記複数のデコーダの中から上記要求信号で指定した圧縮方式に対応するデコーダを選択する選択手段とを有し、
選択されたデコーダに対して上記配信されてきた楽曲データを供給するようにしたことを特徴とする請求の範囲２に記載の楽曲受信装置。
【発明の詳細な説明】
技術分野
この発明は、ディジタル放送を利用して、要求された楽曲データを容易に配信することができる楽曲配信装置、楽曲受信装置、楽曲配信方法および楽曲配信システムに関する。
背景技術
従来の楽曲配信システムとして通信カラオケが知られている。通信カラオケでは、ＭＩＤＩ（Musical Instrument Digital Interface）データを使用するものであったため以下のような問題点があった。
ＭＩＤＩデータを作るほとんどの場合、専門の技術を持った人間が耳で聞いて採譜しなければ成らず、また、ＭＩＤＩデータを作るにあたっても専門の技術、知識が必要で、オリジナルの楽曲を正確にトレースするには困難であった。
そして、ＭＩＤＩ音源による再生のため、楽器の音色や管楽器のブレス、鍵盤楽器のタッチ、弦楽器の引き方やカッテングを原曲と同じにするのは困難であり、曲調の盛り上げ方などを含めてオリジナルの楽曲と同じ雰囲気に作るのが難しい。
また、音声圧縮でデータを配信するにあたり、音声圧縮の技術は複数存在し、それぞれ特徴があり、一般に独立したフォーマットで互換性がないという問題があった。
従って、この発明の目的は、受信機で再生可能な（デコード可能な）圧縮方式の楽曲データを選択して配信するシステムを提供することにある。
発明の開示
請求の範囲１に記載の発明は、遠隔の受信機からの要求に基づいて楽曲データを配信する楽曲配信装置において、
少なくとも楽曲識別情報と圧縮方式識別情報とを含んだ受信機からの要求信号を受信する受信手段と、
受信した要求信号に含まれた楽曲識別情報に対応する楽曲を、要求信号に含まれた圧縮方式識別情報に対応する圧縮方式で圧縮した楽曲データを送出する送信手段とからなることを特徴とする楽曲配信装置である。
請求の範囲２に記載の発明は、ユーザによって選択された楽曲の楽曲データを遠隔の楽曲配信装置に対して要求し、楽曲配信装置から配信されてきた楽曲データを受信して出力する楽曲受信装置において、
少なくとも選択された楽曲を識別する楽曲識別情報と、楽曲が配信されてくる際の圧縮方式を識別する圧縮方式識別情報とを含む要求信号を生成する生成手段と、
生成された要求信号を楽曲配信装置に対して伝送する伝送手段と、
楽曲配信装置から配信されてきた楽曲データを受信する受信手段と、
受信した楽曲データを圧縮方式識別情報で指定した圧縮方式に対応する圧縮復号方式によって復号するデコード手段とからなることを特徴とする楽曲受信装置である。
請求の範囲３に記載の発明は、遠隔の受信機からの要求に基づいて楽曲データを配信する楽曲配信方法において、
少なくとも楽曲識別情報と圧縮方式識別情報とを含んだ受信機からの要求信号を受信し、
受信した要求信号に含まれた楽曲識別情報に対応する楽曲を、要求信号に含まれた圧縮方式識別情報に対応する圧縮方式で圧縮した楽曲データを送出するようにした楽曲配信方法である。
請求の範囲４に記載の発明は、ユーザによって選択された楽曲の楽曲データを遠隔の楽曲配信装置に対して要求し、楽曲配信装置から配信されてきた楽曲データを受信して出力する楽曲受信方法において、
少なくとも選択された楽曲を識別する楽曲識別情報と、楽曲が配信されてくる際の圧縮方式を識別する圧縮方式識別情報とを含む要求信号を生成し、
生成された要求信号を楽曲配信装置に対して伝送し、
楽曲配信装置から配信されてきた楽曲データを受信し、
受信した楽曲データを圧縮方式識別情報で指定した圧縮方式に対応する圧縮復号方式によって復号するようにした楽曲受信方法である。
請求の範囲５に記載の発明は、遠隔の受信機からの要求に基づいて、楽曲配信装置が楽曲データを配信する楽曲配信システムにおいて、
受信機では、
少なくとも選択された楽曲を識別する楽曲識別情報と、楽曲が配信されてくる際の圧縮方式を識別する圧縮方式識別情報とを含む要求信号を生成し、
生成された要求信号を楽曲配信装置に対して伝送し、
楽曲配信装置では、
受信機から伝送されてきた要求信号を受信し、
受信した要求信号に含まれた楽曲識別情報に対応する楽曲を、要求信号に含まれた圧縮方式識別情報に対応する圧縮方式で圧縮した楽曲データを送信するようにした楽曲配信システムである。
この発明では、リクエストした楽曲データがストレージメディアにある場合、ストレージメディアから読み出し、カラオケ装置で再生し、リクエストした楽曲データがストレージメディアにない場合、受信機から公衆回線を介してデータ配信制御装置にリクエストした楽曲データをリクエストする。このとき、例えばＭＩＤＩ、ＭＰＥＧオーディオ、ＡＴＲＡＣオーディオ等複数オーディオ圧縮方式の中から指定された圧縮方式の楽曲データが楽曲サーバから読み出される。読み出された楽曲データは、ディジタル衛星放送設備によって電波に変換され配信される。また、指定された圧縮方式の楽曲データがない場合、元の楽曲データが元の楽曲サーバから読み出され、読み出された楽曲データに対して指定された圧縮方式のエンコード処理が行われる。エンコードされたデータは、ディジタル衛星放送設備によって電波に変換され配信される。そして、配信された楽曲データは、ストレージメディアに記録された後、記録された楽曲データに基づいてデコーダによって伸長され、カラオケ装置で再生される。
【図面の簡単な説明】
第１図はこの発明が適用される実施の一形態のブロック図である。
第２図はこの発明が適用される楽曲配信装置のブロック図である。
第３図はこの発明が適用される楽曲受信装置６０Ａのブロック図である。
第４図はこの発明が適用される楽曲受信装置６０Ｂのブロック図である。
第５図はこの発明が適用される楽曲受信装置６０Ｃのブロック図である。
第６図はこの発明が適用されるカラオケ装置の処理の一例を示すフローチャートである。
第７図はこの発明が適用される放送局側の処理の一例を示すフローチャートである。
第８図はこの発明に適用されるリクエストデータの構成例である。
第９図はこの発明が適用される実施の形態の他の例のブロック図である。
第１０図はこの発明が適用される実施の形態の他の例の楽曲配信装置のブロック図である。
第１１図はこの発明が適用される実施の形態の他の例の楽曲受信装置６０Ｄのブロック図である。
第１２図はこの発明が適用されるカラオケ装置の処理の他の例を示すフローチャートである。
第１３図はこの発明が適用される放送局側の処理の他の例を示すフローチャートである。
発明を実施するための最良の形態
以下、この発明の実施の一形態について図面を参照して説明する。この発明を容易とするため、まずこの発明の概要を説明する。この発明は、カラオケボックス等でカラオケを歌う時に圧縮された楽曲データを伸長して再生することにより、原曲に近い雰囲気でカラオケを歌うことを可能としたシステムである。システムの主な構成要素は、任意に指定された圧縮方式で楽曲データを配信するために、デジタル放送設備と楽曲サーバがある。また、配信されたデータを受信するためにカラオケボックス等にはカラオケ装置とともにデジタル放送受信装置が必要である。更に、カラオケで歌おうとした曲が予め記憶されていない場合に配信リクエストするための公衆回線を使った通信端末と放送局側にはその通信端末からのリクエストによる配信データの制御部が設けられている。
次に、この発明を実施するにあたり技術的な要件を説明する。まず、地上波または通信・放送衛星によるデジタル放送技術については、実用化されているデジタル衛星放送の技術として１）ＭＰＥＧ（Moving Picture Experts Group）システムズ、２）ＤＶＢ（Digital Video Broadcasting）を使った物がある。その他にも米国のＧＡ（Grand Alliance）などの地上波デジタル放送の技術もある。ここで重要なことは単にデジタルの放送であるだけでなく、受信できるユーザを選択的に識別できるコンディショナルアクセスの機能を持つことである。この実施の一形態のシステムは、ディジタル衛星放送のサービス提供業者で実用化されている技術を仮定する。
楽曲を圧縮する技術としては、ＭＰＥＧオーディオ、ＡＴＲＡＣ（Adaptive TRansform Acoustic Coding）、ＰＣＭ（Pulse Code Modulation）方式などが考えられる。今回のシステムではＭＰＥＧオーディオを含む複数の圧縮されたデータと従来のＭＩＤＩデータを大規模なサーバに記憶しておくことにする。この方法の他にも各種圧縮方式によるリアルタイムエンコードシステムを設置し楽曲の元データから配信時に圧縮することも考えられるが、予め圧縮しておいた方がすぐデータを取り出すことができると共に、サーバーの記憶容量の節約にも貢献する。
デジタル放送の送出設備と大規模（容量）サーバを制御し、ユーザからのリクエストを受けて目的とする楽曲の圧縮データを配信するコントローラーが必要である。ユーザからのリクエストを受ける通信手段として電話回線などの公衆回線を仮定し、予め決めておいた信号、コマンドによりユーザからのリクエストを自動的に受け付ける機能を持っていることとする。これはモデム付きのＰＣまたはワークステーションのようなコンピュータで実現できる。
ユーザがカラオケに使うカラオケ装置には通常の機構・機能があるとする。その他にデジタル放送の受信機と圧縮された楽曲データを伸長するデコーダが必要である。また、デコーダはストレージを持っていて、ユーザが選んだ曲がストレージに記憶されている場合にはそれを再生し、ストレージに記憶されていない場合には電話回線を使って放送局にある配信リクエストを制御するコンピュータにアクセスして圧縮方式と共に楽曲データを要求する。
第１図にこの発明の実施の形態の一例のブロック図を示す。各部について以下に説明する。デジタル衛星放送設備１の送信の仕組みは、ＭＰＥＧシステムズやＤＶＢで標準化されている技術により構築されたものとする。楽曲サーバ２は、カラオケ用の楽曲を各種音声圧縮技術で圧縮し、データベース化したものである。課金サーバ１１は、受信機からのリクエストに応じて楽曲データを配信する度に課金を行なうためのものである。これらは公衆回線１０を経てユーザからのデータ配信のリクエストを受けて機能するデータ配信制御装置３で制御される。
デジタル衛星放送設備１でアップリンクされた配信データは、通信・放送衛星４で折り返され、カラオケボックス等に設置した受信装置５で受信する。受信された配信データは、デコーダ６で伸長され、カラオケ装置７で楽曲として再生される。また、配信された楽曲データは、そのままハードディスクのようなストレージデバイス８に記録され、それ以後ユーザが選曲した場合には、ストレージデバイス８に記録されたデータを元にデコーダ６で伸長され、カラオケ装置７で再生される。ユーザが選んだ曲がストレージデバイス８に記録されていないときは、リクエスト通信端末９により公衆回線を通して放送局にあるデータ配信制御装置３に要求が伝えられる。
第２図は、この発明が適用された楽曲配信システムにおける送信局の詳細構成を示すものである。
第２図において、ＭＩＤＩデータ生成装置４１で生成されたＭＩＤＩデータはＭＩＤＩデータサーバ４２に登録される。ＭＩＤＩデータサーバ４２に登録されたＭＩＤＩデータはＭＩＤＩデータ送出システム４３に送られ、パケット化された後、マルチプレクサ４４に送られる。また、楽曲素材登録システム４５には圧縮されていない楽曲信号が登録されており、この楽曲素材登録システム４５からの楽曲信号は、ＭＰＥＧオーディオエンコーダ４６およびＡＴＲＡＣオーディオエンコーダ４９に供給され、各々エンコードされた後、ＭＰＥＧオーディオサーバ４７およびＡＴＲＡＣオーディオサーバ５０に登録される。ＭＰＥＧオーディオサーバ４７に登録されたＭＰＥＧオーディオデータは、ＭＰＥＧオーディオ送出システム４８に送られ、ここでパケット化された後、マルチプレクサ４４に送られる。ＡＴＲＡＣオーディオサーバ５０に登録されたＡＴＲＡＣデータは、ＡＴＲＡＣオーディオ送出システム５１に送られ、ここでパケット化された後、マルチプレクサ４４に送られる。
さらに、音声付加情報登録システム５２からの歌詞、楽曲情報等の音声付加情報は、音声付加情報データベース５３に登録される。音声付加情報データベース５３に登録された音声付加情報は、音声付加情報送出システム５４に送られ、ここでパケット化された後、マルチプレクサ４４に供給される。
また、背景映像用素材登録システム５５からの映像信号は、ＭＰＥＧ２ビデオエンコーダ５６に供給され、エンコードされた後、ＭＰＥＧ２ビデオデータサーバ５７に登録される。ＭＰＥＧ２ビデオサーバに登録されたＭＰＥＧ２ビデオデータは、ＭＰＥＧ２ビデオデータ送出システム５８に送られ、ここでパケット化された後、マルチプレクサ４４に供給される。
マルチプレクサ４４においては、ＭＩＤＩデータ送出システム４３からのＭＩＤＩデータパケットと、ＭＰＥＧオーディオ送出システム４８からのＭＰＥＧオーディオパケットと、ＡＴＲＡＣオーディオ送出システム５１からのＡＴＲＡＣオーディオパケットと、音声付加情報送出システム５４からの音声付加情報パケットと、ＭＰＥＧ２ビデオデータ送出システム５８からのＭＰＥＧ２データパケットとが時間軸多重化されると共に、スクランブル鍵を用いて暗号化される。
マルチプレクサ４４の出力は、電波送出システム５９に送られ、ここで畳み込み符号、リードソロモン符号等の誤り訂正符号化化、ＱＰＳＫ（Quadrature Phase Shift Keying）変調、および周波数変換等の処理を施された後、アンテナから衛星４に向けて送信される。
第３図は、受信装置５およびデコーダ６が一体的に構成された受信機６０Ａの詳細構成の一例を示すものである。
衛星放送アンテナにおいて受信された信号は、フロントエンド６１、デスクランブラ６２、トランスポートＩＣ（デマルチプレクサ）６３より構成される受信装置５に入力端子Ｔ１を介して供給される。
入力端子Ｔ１に入力された受信信号は、フロントエンド６１に供給される。フロントエンド６１は、チューナ、ＱＰＳＫ復調器、誤り訂正回路から構成される。フロントエンド６１内のチューナで、制御用ＣＰＵ（Central Processing Unit）７０からの設定信号に基づいて、受信信号の中から所定の搬送波周波数の信号が選択される。そして、この受信信号がＱＰＳＫ復調器において復調され、さらに、誤り訂正回路においてビタビ復号、リードソロモン符号等の誤り訂正処理が施されて、スクランブルされたＭＰＥＧトランスポートストリームが出力される。
フロントエンド６１の出力は、デスクランブラ６２に供給される。ＣＰＵ７０は、受信信号に含まれている受信資格情報とＩＣカードスロット７３に挿入されているＩＣカード７４に記憶されている受信機の識別情報との比較を行い、受信信号がその受信機自身に対して送られてきたものなのか否かを判別する。受信信号に含まれている受信資格情報とＩＣカード７４に記憶されている受信機の識別情報とが一致した場合には、受信信号がその受信機自身宛てに送られてきたものであると認識し、デスクランブラ６２に対してデスクランブル処理を行うように制御信号が発生する。反対に、受信信号に含まれている受信資格情報とＩＣカード７４に記憶されている受信機の識別情報とが一致していない場合には、受信信号がその受信機宛てに送られてきたものではないと認識し、デスクランブル処理は行わない。
デスクランブラ６２において、デスクランブルされたＭＰＥＧトランスポートストリームはトランスポートＩＣ６３に送られる。
トランスポートＩＣ６３は、ＣＰＵ７０からの指令に基づいて、デスクランブラ６２からのストリームの中から、所望のトランスポートパケットを分離するものである。トランスポートパケットのヘッダ部には、伝送データの種類を示すパケット識別子（ＰＩＤ）が設けられている。このＰＩＤをトランスポートＩＣ６３が検出し、ＭＰＥＧ２ビデオデータを伝送するトランスポートパケットはＭＰＥＧ２ビデオデコーダ６８へ供給し、ＭＰＥＧオーディオデータを伝送するトランスポートパケットはＭＰＥＧオーディオデコーダ６４へ供給する。
尚、第３図の受信機６０ＡはＡＴＲＡＣオーディオデータやＭＩＤＩデータには対応していないので、これらのデータを伝送するトランスポートパケットはトランスポートＩＣ６３では分離されず、データが破棄される。
ＭＰＥＧ２ビデオデコーダ６８は、トランスポートＩＣ６３からのＭＰＥＧ２ビデオデータのトランスポートパケットを受け取り、ＭＰＥＧ２ビデオ方式のデコード処理を行って、データ圧縮前のビデオデータを形成する。このビデオデータは、ＮＴＳＣ変換回路６９に供給され、ＮＴＳＣ変換回路６９で、コンポジットビデオ信号に変換され、アナログ信号に変換される。このＮＴＳＣ変換回路６９の出力がアナログビデオ出力端子Ｔ２から背景映像信号としてカラオケ装置７へ出力される。
ＭＰＥＧオーディオデコーダ６４は、トランスポートＩＣ６３からのＭＰＥＧオーディオデータのトランスポートパケットを受け取り、ＭＰＥＧオーディオ方式の音声デコード処理を行なって、データ圧縮前のオーディオデータを形成する。デコードされたオーディオデータは、ＤＡコンバータ６５でアナログオーディオ信号に変換された後、アナログオーディオ出力端子Ｔ３、Ｔ４からカラオケ装置７へ出力される、尚、ＭＰＥＧオーディオデコーダ６４でデコードされたオーディオデータは、光ディジタル出力インターフェイスを介してカラオケ装置７へ出力するようにしても良い。
さらにトランスポートＩＣ６３はトランスポートストリームに含まれる音声付加情報パケットを分離し、ＣＰＵ７０へ供給する。ＣＰＵ７０はこの供給された音声付加情報を処理し、ＭＰＥＧ２ビデオデコーダ６８でデコード処理された背景映像信号にスーパーインポーズする。
例えばリモートコントローラ７１に設けられた歌詞ボタン（図示せず）が押された場合には、音声付加情報として送られてきた歌詞のテキストデータがＣＰＵ７０からＭＰＥＧ２ビデオデコーダ６８に供給される。そして、ＭＰＥＧビデオデコーダ６８のＯＳＤ（On Screen Display）機能を利用してスーパーインポーズ処理される。こうしてカラオケ装置７のスピーカから楽曲の音声が流れると同時に、その音声と同期して、歌詞がスーパーインポーズされた背景映像が写しだされる。
また、受信機６０ＡにはＣＰＵ７０に接続されたモデム７５（リクエスト通信端末９に相当する）が設けられている。このモデムを介して、後述するようにリクエストされた曲の楽曲識別番号やデコード可能な圧縮方式（第３図の場合にはＭＰＥＧオーディオ）を示す情報が公衆回線１０を介してデータ配信制御装置３へ伝送される。
さらにトランスポートＩＣ６３にはＩＥＥＥ１３９４インターフェイス７６が接続されている。ＩＥＥＥ１３９４は大容量のデータおよびコマンドを高速に伝送することができる双方向シリアルインターフェイスである。このＩＥＥＥ１３９４インターフェイス７６を介してストレージデバイス８との間で楽曲データの送受信が行なえるようになっている。
つまりトランスポートＩＣ６３において分離されたＭＰＥＧ２ビデオデータを伝送するトランスポートパケットと、ＭＰＥＧオーディオデータを伝送するトランスポートパケットと、音声付加情報を伝送するトランスポートパケットはＩＥＥＥ１３９４インターフェイス７６に伝送され、シリアルパス上を伝送するための所定のパケット化処理が施された後、ストレージデバイス８に伝送される。
一方、ストレージデバイス８はＩＥＥＥ１３９４インターフェイス８０、ストレージメディア８１とから構成されている。受信機６０ＡからＩＥＥＥ１３９４パス上を伝送されてきたデータはＩＥＥＥ１３９４インターフェイス８０に供給されて、デパケット化される。デパケット化されたＭＰＥＧ２ビデオデータを伝送するトランスポートパケットと、ＭＰＥＧオーディオデータを伝送するトランスポートパケットと、音声付加情報を伝送するトランスポートは、ストレージデバイス８内のコントローラ（図示せず）の制御の下、ストレージメディア８１に記録される。
また、受信機６０Ａのリモートコントローラ７１により所定の操作が行われ、楽曲のリクエストが行われると、ＣＰＵ７０はリクエストされた楽曲データがストレージメディア８１に記録されているかどうかを調べさせるコマンドを生成し、ＩＥＥＥ１３９４インターフェイス７６を介してストレージデバイス８に対して伝送する。ストレージデバイス８のコントローラ（図示せず）は、このコマンドをＩＥＥＥ１３９４インターフェイス８０を介して受信し、ストレージメディア８１にリクエストされた楽曲が記録されているか否かのチェックを行ない、その結果をＩＥＥＥ１３９４インターフェイスを介して受信機６０ＡのＣＰＵ７０に知らせる。つまり、ストレージメディア８１にリクエストされた楽曲のデータが記録されていることが検出できれば、その旨をＩＥＥＥ１３９４インターフェイス８０を介して受信機７０のＣＰＵ７０に知らせると共に、楽曲のＭＰＥＧオーディオデータ、背景映像であるＭＰＥＧ２ビデオデータ、歌詞等を含む音声付加情報をストレージメディア８１から読み出して、ＩＥＥＥ１３９４インターフェイス８０を介して受信機６０Ａに伝送する。反対にストレージメディア８１にリクエストされた楽曲のデータが記録されていなければ、その旨をＩＥＥＥ１３９４インターフェイス８０を介して受信機６０ＡのＣＰＵ７０に知らせる。
受信機６０Ａは、ストレージメディア８１にリクエストされた楽曲のデータが記録されている場合には、ストレージデバイス８から送られてきた楽曲のＭＰＥＧオーディオデータ、ＭＰＥＧ２ビデオデータ、音声付加情報をトランスポートＩＣ６３に供給する。トランスポートＩＣ６３では、上述のようにＰＩＤを識別して各デコーダ６４、６８にＭＰＥＧオーディオデータとＭＰＥＧ２ビデオデータを供給すると共に音声付加情報をＣＰＵ７０へ供給する。
一方、ストレージメディア８１にリクエストされた楽曲のデータが記録されていない場合には、ＣＰＵ７０はモデム７５を介して楽曲データの配信を要求する。
第４図は受信装置５およびデコーダ６が一体的に構成された受信機６０Ｂの詳細構成の他の例を示すものである。尚、第３図と同じ構成部分については同じ番号を付し、説明は省略する。
第４図に示された受信機６０Ｂでは、第３図におけるＭＰＥＧオーディオデコーダ６４の代わりにＡＴＲＡＣオーディオデコーダ９０が設けられている。他の部分の構成は第３図における受信機６０Ａと同じである。
但し、トランスポートＩＣ６３はＰＩＤを検出し、ＭＰＥＧ２ビデオデータを伝送するトランスポートパケットはＭＰＥＧ２ビデオデコーダ６８へ供給し、ＡＴＲＡＣオーディオデータを伝送するトランスポートパケットはＡＴＲＡＣオーディオデコーダ９０へ供給する。第４図の受信機６０ＢはＭＰＥＧオーディオデータやＭＩＤＩデータには対応していないので、これらのデータを伝送するトランスポートパケットはトランスポートＩＣ６３では分離されず、データが破棄される。
ＡＴＲＡＣオーディオデコーダ９０は、トランスポートＩＣ６３からのＡＴＲＡＣオーディオデータのトランスポートパケットを受け取り、ＡＴＲＡＣ方式の音声デコード処理を行って、データ圧縮前のオーディオデータを形成する。デコードされたオーディオ処理を行なって、データ圧縮前のオーディオデータを形成する。デコードされたオーディオデータは、ＤＡコンバータ６５でアナログオーディオ信号に変換された後、アナログオーディオ出力端子Ｔ３、Ｔ４からカラオケ装置７へ出力される。尚、ＡＴＲＡＣオーディオデコーダ９０でデコードされたオーディオデータは、光ディジタル出力インターフェイスを介してカラオケ装置７へ出力するようにしても良い。
また、受信機６０Ｂには第３図の場合と同様にＣＰＵ７０に接続されたモデム７５（リクエスト通信端末９に相当する）が設けられている。このモデムを介して、リクエストされた曲の楽曲識別番号やデコード可能な圧縮方式（第３図の場合にはＡＴＲＡＣオーディオ）を示す情報が公衆回線１０を介してデータ配信制御装置３へ伝送される。
さらにトランスポートＩＣ６３にはＩＥＥＥ１３９４インターフェイス７６が接続されており、第３図の場合と同様にストレージデバイス８との間でＡＴＲＡＣオーディオデータ、ＭＰＥＧ２ビデオデータ、音声付加情報の授受ができるようになっている。
第５図は受信装置５およびデコーダ６が一体的に構成された受信機６０Ｃの詳細構成のさらに他の例を示すものである。尚、第３図、第４図と同じ構成部分については同じ番号を付し、説明は省略する。
第５図に示された受信機６０Ｃでは、第３図、第４図におけるＭＰＥＧオーディオデコーダ６４、ＡＴＲＡＣオーディオデコーダ９０の代わりにＭＩＤＩデータ処理部１００が設けられている。他の部分の構成は、第３図、第４図における受信機６０Ａ、６０Ｂと同じである。
但し、トランスポートＩＣ６３はＰＩＤを検出し、ＭＰＥＧ２ビデオデータを伝送するトランスポートパケットはＭＰＥＧ２ビデオデコーダ６８へ供給し、ＭＩＤＩデータを伝送するトランスポートパケットはＭＩＤＩデータ処理部１００へ供給する。第５図の受信機６０ＣはＭＰＥＧオーディオデータやＡＴＲＡＣオーディオデータには対応していないので、これらのデータを伝送するトランスポートパケットはトランスポートＩＣ６３では分離されず、データが破棄される。
ＭＩＤＩデータ処理部１００は、トランスポートＩＣ６３からのＭＩＤＩデータのトランスポートパケットを受け取り、音声処理を行って、その出力オーディオ信号がアナログオーディオ出力端子Ｔ３、Ｔ４からカラオケ装置７へ出力される。
また、受信機６０Ｃには第３図、第４図の場合と同様にＣＰＵ７０に接続されたモデム７５（リクエスト通信端末９に相当する）が設けられている。このモデムを介して、リクエストされた曲の楽曲識別番号やデコード可能な圧縮方式（第３図の場合にはＭＩＤＩデータ）を示す情報が公衆回線１０を介してデータ配信制御装置３へ伝送される。さらにトランスポートＩＣ６３にはＩＥＥＥ１３９４インターフェイス７６が接続されており、第３図の場合と同様にストレージデバイス８との間でＭＩＤＩデータ、ＭＰＥＧ２ビデオデータ、音声付加情報の授受ができるようになっている。
次に楽曲データを配信する方法の一例を第６図および第７図のフローチャートを用いて説明する。まず、第２図は圧縮された楽曲データを受け取る受信機側での動作のフローチャートである。尚、このフローチャートは第３図、第４図、第５図で説明した受信機６０Ａ，６０Ｂ，６０Ｃで共通である。ステップＳ１において、利用者が受信機６０でリクエスト曲を選ぶ。つまりユーザは楽曲リストが掲載された本を参照して所望の楽曲に付された識別番号をリモコン７１により受信機６０に入力することによりリクエスト曲を選択することができる。ステップＳ２では、楽曲データが蓄積されているストレージデバイス８の中に選択されたリクエスト曲の楽曲データがあるか否かを判断する。ストレージデバイス８に楽曲データがある場合、ステップＳ６へ移行し、楽曲データがない場合、ステップＳ３に移行する。
ステップＳ３では、ストレージデバイス８の中にリクエスト曲の楽曲データがなかったので、楽曲の識別番号と再生可能な圧縮方式を指定した要求をリクエスト通信端末９により電話回線などの公衆回線１０を介してデータ配信制御装置３にリクエストする。ステップＳ４では、リクエストをした後は受信機６０で目的とする楽曲データが受信できるまで待つ。ステップＳ５では、楽曲データが配信されたらその楽曲データが完全か否かを調べ、完全であると判断した場合、ステップＳ６へ移行し、不完全と判断した場合、ステップＳ８へ移行する。ステップＳ８では、選択された楽曲を再度リクエスト通信端末９よりリクエストし、受信機６０で目的とする楽曲データが受信できるまで待つ（ステップＳ４）。配信された楽曲データが完全なデータである場合にはステップＳ６で、圧縮方式を確認してデコーダ６で伸長処理を行う。ステップＳ７では、伸長された楽曲データがカラオケ装置７で再生される。
第７図は一例として圧縮された楽曲データを配信する放送局側の装置の動作を示すフローチャートである。ステップＳ１１において、楽曲のリクエストがないときにはデータ配信制御装置３で自動的に新譜などの楽曲データを配信する。ステップＳ１２では、リクエストが公衆回線１０を介してデータ配信制御装置３に来たか確認する。リクエストが来てない場合、ステップＳ１１へ移行し、リクエストが来ている場合には、ステップＳ１３に制御に移行する。ステップＳ１３では、指定された圧縮方式の楽曲データを楽曲サーバ２から検索し、抽出する。ステップＳ１４では、抽出された楽曲データをデジタル衛星放送設備１を介して配信する。
第８図は、リクエスト通信端末９が公衆回線１０を介してデータ配信制御装置３に伝送するリクエストデータの一例の構成である。リクエストデータには、リクエストを示すコマンド２１と、利用者が選択した楽曲の識別番号２２と、カラオケ装置側で再生可能な圧縮方式指定データ２３とが指定されている。さらに、リクエストされた楽曲データがデジタル衛星放送を介して配信されてきた時に受信可能なカラオケ装置を特定するためのカラオケ装置の識別番号２４（ＩＣカード７４に記憶されている）もリクエストデータとして伝送される。
第９図にこの発明の実施の形態の他の例のブロック図を示す。この例では、上述の如く配信システム側で予め複数の圧縮方式で圧縮された楽曲データを楽曲サーバに記憶し、楽曲サーバに記憶された楽曲の中からリクエストされた楽曲を検索するのではなく、指定された圧縮方式でリアルタイムに圧縮して伝送するものである。つまり、楽曲サーバ１４には、圧縮されていない楽曲信号が記憶されており、受信機側からのリクエストに基づいて楽曲サーバ１４からリクエストされた楽曲を検索し、抽出し、指定された圧縮方式で楽曲データを配信できるように設けられた圧縮方式が異なる複数の圧縮エンコーダ１２を選択切換機１３によって選択し、指定された圧縮方式で圧縮して伝送するようになされている。このようにして圧縮された楽曲データは、デジタル衛星放送設備１を介して要求があった受信機側に配信される。
受信機側では、受信装置５で受信した楽曲データの圧縮方式に基づいて、複数の異なる圧縮方式に対応したデコーダ６の中から適当なものを選択切換機１５によって選択する。このようにして選択されたデコーダ６では受信した楽曲データを伸長して、カラオケ装置７に供給する。さらに受信された楽曲データはストレージデバイス８に供給されて記憶される。
第１０図はこの発明の実施の形態の他の例が適用された楽曲配信システムにおける送信局の詳細構成を示すものである。
第１０図において、ＭＩＤＩデータ生成装置４１で生成されたＭＩＤＩデータはＭＩＤＩデータサーバ４２に登録される。ＭＩＤＩデータサーバ４２に登録されたＭＩＤＩデータはＭＩＤＩデータ送出システム４３に送られ、パケット化された後、マルチプレクサ４４に送られる。ここでＭＩＤＩデータだけはリアルタイムにエンコード処理を行うことが困難であるため、予めエンコード処理されてＭＩＤＩデータサーバ４２に登録される。
また、楽曲素材登録システム４５（第９図における１４に相当する）には圧縮されていない楽曲信号が登録されており、この楽曲素材登録システム４５からの楽曲信号は、選択切換機１３を介してＭＰＥＧオーディオエンコーダ４６およびＡＴＲＡＣオーディオエンコーダ４９に供給され、各々エンコードされた後、ＭＰＥＧオーディオ送出システム４８およびＡＴＲＡＣオーディオ送出システム５１に送られ、ここでパケット化された後、マルチプレクサ４４に送られる。選択切換機１３にはデータ配信制御装置３（第９図）からの切換信号が供給されており、この切換信号に応じて、楽曲素材登録システム４５からの楽曲信号は選択的にＭＰＥＧオーディオエンコーダ４６又はＡＴＲＡＣオーディオエンコーダ４９に供給されるようになされている。
さらに、音声付加情報登録システム５２からの歌詞、楽曲情報等の音声付加情報は、音声付加情報データベース５３に登録される。音声付加情報データベース５３に登録された音声付加情報は、音声付加情報送出システム５４に送られ、ここでパケット化された後、マルチプレクサ４４に送られる。
また、背景映像用素材登録システム５５からの映像信号は、ＭＰＥＧ２ビデオエンコーダ５６に供給され、エンコードされた後、ＭＰＥＧ２ビデオデータサーバ５７に登録される。ＭＰＥＧ２ビデオデータサーバに登録されたＭＰＥＧ２ビデオデータはＭＰＥＧ２ビデオデータ送出システム５８に送られ、ここでパケット化された後、マルチプレクサ４４に供給される。
マルチプレクサ４４においては、ＭＩＤＩデータ送出システム４９からのＭＩＤＩデータパケットと、ＭＰＥＧオーディオ送出システム４８からのＭＰＥＧオーディオパケットと、ＡＴＲＡＣオーディオ送出システム５１からのＡＴＲＡＣオーディオパケットと、音声付加情報送出システム５４からの音声付加情報パケットと、ＭＰＥＧ２ビデオデータ送出システム５８からのＭＰＥＧ２データバケットとが時間軸多重化されると共に、スクランブル鍵を用いて暗号化される。
マルチプレクサ４４の出力は電波送出システム５９に送られ、ここで畳み込み符号、リードソロモン符号等の誤り訂正符号化、ＱＰＳＫ変調、および周波数変換等の処理を施された後、アンテナから衛星４に向けて送信される。
第１１図はこの発明の実施の形態の他の例が適用された、受信装置５およびデコーダ６が一体的に構成された受信機６０Ｄの詳細構成の一例を示すものである。尚、第３図、第４図、第５図と同じ構成部分については同じ番号を付し、説明は省略する。
トランスポートＩＣ６３は、ＣＰＵ７０からの指令に基づいて、デスクランブラ６２からのストリームの中から、所望のトランスポートパケットを分離するものである。トランスポートパケットのヘッダ部には、伝送データの種類を示すパケット識別子（ＰＩＤ）が設けられている。このＰＩＤをトランスポートＩＣ６３は検出し、ＭＰＥＧ２ビデオデータを伝送するトランスポートパケットはＭＰＥＧ２ビデオデコーダ６８へ供給し、音声付加情報を伝送するトランスポートパケットをＣＰＵ７０へ供給する。ＣＰＵ７０は供給された音声付加情報を処理し、ＭＰＥＧ２ビデオデコーダ６８でデコード処理された背景映像信号にスーパーインポーズする。
また、ＣＰＵ７０はリクエストした楽曲の圧縮方式に対応するオーディオデコーダを選択するように選択切換機１５、７７を制御する。つまりＭＰＥＧオーディオの圧縮方式で楽曲をリクエストした場合には、ＭＰＥＧオーディオデコーダ６４を選択するようにし、ＡＴＲＡＣオーディオの圧縮方式で楽曲をリクエストした場合には、ＡＴＲＡＣオーディオデコーダ９０を選択するようにし、ＭＩＤＩ方式で楽曲をリクエストした場合には、ＭＩＤＩデータ処理部１００を選択するように選択切換機１５、７７を制御する。
ＭＰＥＧオーディオデコーダ６４は、選択切換機１５からのＭＰＥＧオーディオデータのトランスポートパケットを受け取り、ＭＰＥＧオーディオ方式の音声デコード処理を行なって、データ圧縮前のオーディオデータを形成する。デコードされたオーディオデータは、ＤＡコンバータ６５−２でアナログオーディオ信号に変換された後、選択切換機７７に供給される。
ＡＴＲＡＣオーディオデコーダ９０は、選択切換機１５からのＡＴＲＡＣオーディオデータのトランスポートパケットを受け取り、ＡＴＲＡＣ方式の音声デコード処理を行なって、データ圧縮前のオーディオデータを形成する。デコードされたオーディオデータは、ＤＡコンバータ６５−１でアナログオーディオ信号に変換された後、選択切換機７７に供給される。
ＭＩＤＩデータ処理部１００は、選択切換機１５からのＭＩＤＩデータのトランスポートパケットを受け取り、音声処理を行なって、出力信号を選択切換機７７に供給する。
選択切換機７７に供給されたアナログオーディオ信号はアナログオーディオ出力端子Ｔ３、Ｔ４からカラオケ装置７へ出力される。
また、受信機６０ＤにはＣＰＵ７０に接続されたモデム７５（リクエスト通信端末９に相当する）が設けられている。このモデムを介して、リクエストされた曲の楽曲識別番号や所望の圧縮方式（第３図の場合にはＭＰＥＧオーディオ）を示す情報が公衆回線１０を介してデータ配信制御装置３へ伝送される。
さらにトランスポートＩＣ６３にはＩＥＥＥ１３９４インターフェイス７６が接続されている。トランスポートＩＣ６３において分離されたＭＰＥＧ２ビデオデータを伝送するトランスポートパケットと、ＭＰＥＧオーディオデータ又は、ＡＴＲＡＣオーディオデータ又はＭＩＤＩデータを伝送するトランスポートパケットと、音声付加情報を伝送するトランスポートパケットはＩＥＥＥ１３９４インターフェイス７６に伝送され、シリアルパス上を伝送するための所定のパケット化処理が施された後、ストレージデバイス８に伝送され、ストレージメディア８１に記録される。
また、受信機６０Ｄのリモートコントローラ７１により所定の操作が行われ、楽曲のリクエストが行われると、ＣＰＵ７０は、リクエストされた楽曲データがストレージメディア８１に記録されているかどうかを調べさせるコマンドを生成し、ＩＥＥＥ１３９４のインターフェイス７６を介してストレージデバイス８に対して伝送する。ストレージデバイス８のコントローラ（図示せず）は、このコマンドをＩＥＥＥ１３９４のインターフェイス８０を介して受信し、ストレージメディア８１にリクエストされた楽曲が記録されているか否かのチェックを行い、その結果をＩＥＥＥ１３９４インターフェイスを介して受信機６０ＡのＣＰＵ７０に知らせる。つまり、ストレージメディア８１にリクエストされた楽曲のデータが記録されていることが検出できれば、その旨をＩＥＥＥ１３９４インターフェイス８０を介して受信機７０のＣＰＵ７０に知らせると共に、楽曲のオーディオデータ（ＭＰＥＧオーディオ、ＡＴＲＡＣオーディオ、ＭＩＤＩデータのいずれかによって圧縮されている）、背景映像であるＭＰＥＧ２ビデオデータ、歌詞等を含む音声付加情報をストレージメディア８１から読み出して、ＩＥＥＥ１３９４インターフェイス８０を介して受信機６０Ｄに伝送する。反対にストレージメディア８１にリクエストされた楽曲のデータが記録されていなければ、その旨をＩＥＥＥ１３９４インターフェイス８０を介して受信機６０ＤのＣＰＵ７０に知らせる。
受信機６０Ｄは、ストレージメディア８１にリクエストされた楽曲のデータが記録されている場合には、ストレージデバイス８から送られてきた楽曲のオーディオデータ、ＭＰＥＧ２のビデオデータ、音声付加情報をトランスポートＩＣ６３に供給する。トランスポートＩＣ６３では、上述のように、ＰＩＤを識別してＭＰＥＧ２ビデオデータをＭＰＥＧビデオデコーダ６８に供給すると共に、音声付加情報をＣＰＵ７０に供給する。ＣＰＵ７０は、トランスポートＩＣ６３から供給された圧縮識別情報に基づいて選択切換機１４、７７を制御する。つまり、ＩＥＥＥ１３９４インターフェイス７６から伝送されてきたオーディオデータがＭＰＥＧオーディオの圧縮方式である場合には、ＭＰＥＧオーディオデコーダ６４を選択するようにし、ＡＴＲＡＣオーディオの圧縮方式である場合には、ＡＴＲＡＣオーディオデコーダ９０を選択するようにし、ＭＩＤＩ方式である場合には、ＭＩＤＩデータ処理部１００を選択するように選択切換機１４，７７を制御する。
このようにしてＩＥＥＥ１３９４インターフェイス７６を介して供給されたオーディオデータは、ＭＰＥＧオーディオデコーダ６４、ＡＴＲＡＣオーディオデコーダ９０、ＭＩＤＩデータ処理部１００のいずれかにおいて処理され、選択切換機７７を介してアナログオーディオ出力端子Ｔ３、Ｔ４からカラオケ装置７へ出力される。
上述した実施の形態の他の例において、楽曲データを配信する方法の一例を第１２図および第１３図のフローチャートを用いて説明する。まず、第１２図は圧縮された楽曲データを受け取る受信機側での一例の動作のフローチャートである。ステップＳ２１では、利用者が受信機７でリクエスト曲を選ぶ。このリクエスト曲の選択の仕方は上述の例と同じである。ステップＳ２２では、配信されてくる楽曲データの圧縮方式を指定する。尚、指定した圧縮方式により楽曲の音質が異なることもありうる。ステップＳ２３では、選択された楽曲データがストレージデバイス８に蓄積されているか否かを検索し、楽曲データがストレージデバイス８に記憶されている場合には、ステップＳ２７へ移行し、楽曲データが蓄積されていない場合には、ステップＳ２４へ移行する。
ステップＳ２４では、楽曲の識別番号と配信要求する圧縮方式とを指定した要求をリクエスト通信端末９により公衆回線１０を介してデータ配信制御装置３に伝送する。ステップＳ２５では、リクエストした楽曲データが受信装置５で受信できるまで待つ。ステップＳ２６では、楽曲データが配信されたらそのデータが完全か否かを調べ、完全であると判断した場合には、ステップＳ２７へ移行し、不完全と判断した場合、ステップＳ２９へ移行する。ステップＳ２９では、データが不完全であるため、リクエスト通信端末９で再度選択された楽曲をリクエストし、ステップＳ２５へ移行する。ステップＳ２７では、受信した楽曲データの圧縮方式に対応するデコーダ６を選択切換機１５で選び、楽曲データを伸長する。ステップＳ２８では、伸長した楽曲データをカラオケ装置７で再生する。
第１３図は圧縮された楽曲データを配信する放送局側の一例の動作のフローチャートである。ステップＳ３１では、楽曲のリクエストがないときにはデータ配信制御装置３で自動的に新譜などの楽曲データを配信する。ステップＳ３２では、楽曲のリクエストが公衆回線１０を介してデータ配信制御装置３に来たか確認する。リクエストが来なければステップＳ３１へ移行し、リクエストが来ればステップＳ３３へ移行する。ステップＳ３３では、リクエストにより要求された楽曲を楽曲サーバ１４から検索し、抽出する。ステップＳ３４では、抽出された楽曲データを選択切換機１３を介して、要求された圧縮方式に対応する圧縮エンコーダ１２を選択し、要求された圧縮方式で抽出された楽曲信号を圧縮する。ステップＳ３５では、このようにして圧縮された楽曲データをデジタル衛星放送設備１を介して要求のあったカラオケ装置に対して配信する。
上述の実施の形態では、放送局側に設けられている楽曲サーバ２のみまたは元の楽曲サーバ１４のみとして説明したが、楽曲サーバ２と元の楽曲サーバ１４との両方を組み合わせて放送局側に設けても良い。そのときの動作の一例として、カラオケ装置から楽曲の要求があった場合、まず楽曲サーバ２を検索し、要求された圧縮方式の楽曲データがある場合、その楽曲データを要求のあったカラオケ装置に配信する。また、楽曲サーバ２に要求された圧縮方式の楽曲データがなかった場合、楽曲サーバ１４から楽曲を検索し、抽出して要求された圧縮方式に応じたデータ圧縮エンコーダ１２を選択して圧縮した後、その楽曲データを要求のあったカラオケ装置に配信する。
この実施の形態では、カラオケ装置側から配信センタへ楽曲の要求をするときに、公衆回線を使用しているが、端末としてテレビ受像機を利用し、公衆回線網を介して情報センタに接続することにより利用者の要求に応じて文字・図形などの画像情報を提供する会話型画像情報システム（ＣＡＰＴＡＩＮ：Character And Pattern Telephone Access Information Network）であって、通信型カラオケシステムの課金に用いられているビデオテックス（VideoTex）網を使用するようにしても良い。
この実施の形態において、カラオケ装置から要求された圧縮方式毎に公衆回線の番号を設定するようにしても良い。このとき、操作者がカラオケ装置に入力する楽曲の番号も圧縮方式毎に異なるため、その圧縮方式に応じて公衆回線の番号を設定するようにしても良い。
この発明に依れば、元の楽曲をそのまま使うことができるので簡単にカラオケ用の楽曲データが作ることができる。さらに、楽曲の雰囲気が損なわれず、元の楽曲で歌うことが可能である。
この発明に依れば、ＭＩＤＩデータを作るときのような入力の手間が無くなり、データの入力ミスが防げる。すなわち、専門の技術を持つ人でなくても楽曲データを作ることができる。さらに、採譜や元の楽曲と雰囲気が同じかどうかなどの確認の作業が必要ないため、データを作成する期間を短くすることができる。
この発明に依れば、カラオケ装置側のＭＩＤＩ音源の機能、能力に関係なく均一に楽曲データを再生できる。さらに、圧縮方式やＭＩＤＩなどデータフォーマットが指定された形式で配信されるのでカラオケ装置側の機能に適応したデータを送ることが可能となる。
【図１】
0004068667.tif 000002
【図２】
0004068667.tif 000003
【図３】
0004068667.tif 000004
【図４】
0004068667.tif 000005
【図５】
0004068667.tif 000006
【図６】
0004068667.tif 000007
【図７】
0004068667.tif 000008
【図８】
0004068667.tif 000009
【図９】
0004068667.tif 000010
【図１０】
0004068667.tif 000011
【図１１】
0004068667.tif 000012
【図１２】
0004068667.tif 000013
【図１３】
0004068667.tif 000014
0004068667.tif 000015